(57)【要約】 【課題】敷き布団に通気空間が設けられていることから蒸れがなくダニやカビの生育を抑えることができ、軽量かつ折れ曲がりが可能なことから収納保管や持ち運びが容易な敷き布団に関するものである。【解決手段】  細長い棒状のクッション部材（１）と、クッション部材を留めるための固定帯（２）と、クッション部材及び固定帯を覆うためのカバー部材（３）とを備え、クッション部材（１）は所定方向に間隔を置いて前記固定帯（２）に留め付けられ、隣接する前記クッション部材間に通気空間が設けられている敷き布団を提供することができる。また、固定帯（２）を布地やビニール製を採用することにより折れ曲がりが可能な敷き布団を提供することができる。【選択図】  図１
2016063890.tif 000002
【特許請求の範囲】
【請求項１】
細長い棒状のクッション部材と、前記クッション部材を留めるための固定帯と、前記クッション部材及び前記固定帯を覆うためのカバー部材とを備え、前記クッション部材は所定方向に間隔を置いて前記固定帯に留め付けられ、隣接する前記クッション部材間に通気空間が設けられていることを特徴とする敷き布団。
【請求項２】
前記クッション部材は、敷き布団の長辺方向に間隔を置いて前記固定帯に留め付けられていることを特徴とする請求項１記載の敷き布団。
【請求項３】
前記固定帯には長手方向に間隔を置いてクッション投入筒が設けられ、前記クッション部材は前記クッション投入筒に挿入保持されていることを特徴とする請求項１又は２に記載の敷き布団。
【請求項４】
前記クッション部材がウレタン材又はポリプロピレン材であることを特徴とする請求項１又は２又は３に記載の敷き布団。
【請求項５】
前記クッション部材を固定する固定帯が布地又はビニール製であって、折り曲げができることを特徴とする請求項１又は２又は３又は４に記載の敷き布団。
【発明の詳細な説明】
【技術分野】
【０００１】
本発明は通気性を有した敷き布団に関するものである。
【背景技術】
【０００２】
従来、敷き布団は、就寝時に就寝者の発汗作用により蒸れが生じ、ダニやカビの生育が生じることから衛生面に問題があった。この問題を解決するため、例えば、送風機と接続するための吹込口を備えた通風袋と、この通風袋を覆うカバーとで構成される敷き布団が提案されている（例えば、特許文献１参照）。この敷き布団では、前記通風袋の内部に、通気性を有するクッション材を挿入した構成がなされている。また、巻綿内にプラスチック製の中芯を収容した敷き布団も提案されている（例えば、特許文献２参照）。この敷き布団では、前記中芯を貫通する多数の通気孔が形成されていることを特徴とした発明が知られている。
【先行技術文献】
【特許文献】
【０００３】
【特許文献１】特開２００５−１６０７９４号公報
【特許文献２】特開平７−３９４３８号公報
【発明の概要】
【発明が解決しようとする課題】
【０００４】
しかしながら、上述した送風機を用いるものでは、通気性を付加する構造の一つでは、通風袋の内部でクッション材の除湿・加温を行うため、カバーと通風袋の間に空気の流れを確保するための間隙を設ける必要がないが、複雑な構造となり送付機を必要とすることから、エネルギーコストがかかる問題がある。また、中芯を収容したものでは、中芯に貫通する多数の通気孔を加工する工程が必要であり、加工が複雑であることからコストがかかり、大量生産には不適切という問題がある。
【０００５】
本発明の目的は大量生産に好適である簡素な構造とした通気性を有する敷き布団を提供することである。
【課題を解決するための手段】
【０００６】
本発明の請求項１に記載の敷き布団では、細長い棒状のクッション部材と、前記クッション部材を留めるための固定帯と、前記クッション部材及び前記固定帯を覆うためのカバー部材とを備え、前記クッション部材は所定方向に間隔を置いて前記固定帯に留め付けられ、隣接する前記クッション部材間に通気空間が設けられていることを特徴とする。
【０００７】
また、本発明の請求項２に記載の敷き布団では、前記クッション部材は、敷き布団の長辺方向に間隔を置いて前記固定帯に留め付けられていることを特徴とする。
【０００８】
また、本発明の請求項３に記載の敷き布団では、前記固定帯には長手方向に間隔を置いてクッション投入筒が設けられ、前記クッション部材は前記クッション投入筒に挿入保持されていることを特徴とする。
【０００９】
また、本発明の請求項４に記載の敷き布団では、前記クッション部材がウレタン材又はポリプロピレン材であることを特徴とする。
【００１０】
更に、本発明の請求項５に記載の敷き布団では、前記クッション部材を固定する前記固定帯が布地又はビニール製であって、折り曲げができることを特徴とする。
【発明の効果】
【００１１】
本発明の請求項１に記載の敷き布団によれば、細長い棒状のクッション部材と、クッション部材を留めるための固定帯とを備え、クッション部材は所定方向に間隔を置いて固定帯に留め付けられ、隣接する前記クッション部材間に通気空間が設けられているので、蒸れがなくダニやカビの生育を抑えることができる。また、クッション部材及び固定帯を覆うためのカバー部材とを備えているので、クッション部材がずれることを防止できる。
【００１２】
また、本発明の請求項２に記載の敷き布団によれば、クッション部材は、敷き布団の長辺方向に間隔を置いて固定帯に留め付けられているので、敷き布団の短辺方向に通気空間を設けることができる。
【００１３】
また、本発明の請求項３に記載の敷き布団によれば、固定帯には長手方向に間隔を置いてクッション投入筒が設けられ、クッション部材はクッション投入筒に挿入保持されているので、クッション部材がへたり、また、劣化等がした場合、クッション部材の交換が容易に行うことができる。更に、敷き布団を洗濯する場合は容易にクッション部材を取り外し洗濯を行うことができる。
【００１４】
また、本発明の請求項４に記載の敷き布団によれば、クッション部材がウレタン材又はポリプロピレン材であるので、敷き布団の軽量化ができ持ち運びが容易になる。また、ウレタン材又はポリプロピレン材は加工性に優れているので生産に好適な材料である。
【００１５】
更に、本発明の請求項５に記載の敷き布団によれば、クッション部材を固定する固定帯が布地又はビニール製であるので、どの箇所でも容易に折り曲げることが可能なので干し易い。加えて、敷き布団が縮まり、丸めることが可能なため、収納保管や持ち運びが容易になる。
【図面の簡単な説明】
【００１６】
【図１】本発明に係る敷き布団の全体図である。
【図２】直方体クッション部材と固定帯の投入筒を用いた留め付けを示した図である。
【図３】円柱状クッション部材と固定帯の投入筒を用いた留め付けを示した図である。
【図４】固定帯とクッション投入筒の構造を示した図である。
【図５】クッション投入筒の構造を示した図である。
【図６】楕円形状、三角柱状、二連型三角柱状のクッション部材を示した図である。
【発明を実施するための形態】
【００１７】
以下、図１〜図６を参照して、本発明に従う敷き布団の実施形態について説明する。
【００１８】
図１のクッション部材（１）は直方体形状のウレタン材、ポリプロピレン材である。ウレタン材、ポリプロピレン材は軽量で加工性に優れているので生産に好適な材料である。クッション部材（１）には防ダニ効果を有する薬剤を塗布または含浸しておいてもよい。クッション部材（１）のサイズは特に限定されるものではなく、敷き布団のサイズが市販品と同等となるように選定すればよい。また、クッション部材のすべてが同一の強度の物を採用してもよく、または例えば敷き布団の長辺方向の両端部は軟度品、中央部は硬度品のように選択して使用してもよい。中央部には体重がかかるため、機械的に強い材質を選定することは適切であるためである。
【００１９】
クッション部材（１）は図２に示されているように布地またはビニール製の固定帯（２）に、布地またはビニール製の生地を帯状としクッション部材(１)が挿入できるクッション投入筒（５）をマジックテープ（登録商標）により形成した後、間隔を開けて留め付けを行う。クッション部材（１）をクッション投入筒（５）に挿入することによりクッション部材（１）を固定帯（２）に留め付け、通気空間を設ける。この通気空間は１０ｍｍ〜１００ｍｍが好ましい。更に布団カバー（３）の四隅を固定紐（４）によりクッション部材（１）に固定しズレを防止する。上述ではマジックテープによりクッション部材(１)が挿入できるクッション投入筒（５）を形成したが、縫製により形成してもよい。
【００２０】
ここで、１枚あたりの敷き布団に使用する固定帯(２)の数は、２以上であることが必要である。固定帯（２）は複数本を使用することから、クッション部材（１）が直線的にかつ間隔に留め付けされることが必要であることから、各固定帯（２）のクッション投入筒（５）は直線状かつ間隔を開けて位置されることが必要である。固定帯（２）の材質としては布地やビニール製を採用しているので、折り曲げが可能な敷き布団を提供することができる。このクッション投入筒（５）は、敷き布団の長辺方向に間隔を置いて配設され、この敷き布団の短辺方向に平行に延びている。
【００２１】
クッション投入筒（５）を筒状に形成するには図５に示すように、投入筒用上部材（１３）の裏側に設けたマジックテープ（１１）と投入筒用下部材（１４）表側に設けたマジックテープ（１２）とを合わせることによりクッション投入筒（５）を形成することができる。また、固定帯上部（７）および固定帯下部（８）とクッション投入筒（５）の固定は図４に示すように縫製、またはマジックテープで合わせるが、固定箇所は１また２箇所としクッション部材（１）の形状が図６に示すように変わっても対応できるようにする。
【００２２】
また、固定帯上部（７）と固定帯下部（８）はクッション投入筒（５）を縫製またはマジックテープにより取り付けることにより、固定帯（２）が形成される。さらに固定帯上部端部の裏側のマジックテープ（９）と固定帯下部端部の表側のマジックテープ（１０）を合わせることにより固定帯上部（７）と固定帯下部（８）の両端部を固定することができる。
【００２３】
クッション投入筒（５）は、クッションのサイズが一定であれば、マジックテープを使用しなくてもクッションサイズに縫製より筒状を形成し、クッション部材（１）を挿入することにより固定することができる。
【００２４】
クッション部材（１）の形状は図２に示すような直方体または図３に示すような円柱または多角形状の棒状物、台形状の棒状物、楕円形状の棒状物、直方体で体に接する面が凹凸の棒状物を採用することができる。例えば図６には楕円形状クッション部材（１３）、三角柱状クッション部材（１４）、二連型三角柱状クッション部材（１５）が示されている。円柱または多角形状の棒状物を採用した場合、就寝時に指圧やマッサージ効果が得られることから、肩こり及び腰痛を和らげる改善効果が得られる。
【００２５】
尚、本発明は上述の実施するための形態に限定されるものではなく、例えばクッション投入筒は伸縮性を有する布地やゴム質のものを筒状に形成させておいてもよい。また、クッション投入筒の材料としてナイロン製やテトロン製のベルト芯を採用してもよい。また、クッション部材を固定帯に固定する方法として、クッション部材の上下に直接マジックテープを取り付け、固定帯上部端部の裏側のマジックテープと固定帯下部端部の表側のマジックテープに合わせてもよい。更にクッション部材を固定帯に固定する方法として、固定帯に紐を取り付けておきクッション部材を縛り付けて固定する方法を採用してもよい。
【符号の説明】
【００２６】
１      直方体クッション部材
２      固定帯
３      カバー部材
４      カバー部材固定用紐
５      クッション投入筒
６      縫製もしくはマジックテープでの固定部
７      固定帯上部
８      固定帯下部
９      固定帯上部端部の裏側のマジックテープ
１０    固定帯下部端部の表側のマジックテープ
１１    クッション投入筒上部側部の裏側のマジックテープ
１２    クッション投入筒下部側部の表部のマジックテープ
１３    投入筒用上部材
１４    投入筒用下部材
１５    楕円形状クッション部材
１６    三角柱状クッション部材
１７    二連型三角柱状クッション部材
【図１】
2016063890.tif 000003
【図２】
2016063890.tif 000004
【図３】
2016063890.tif 000005
【図４】
2016063890.tif 000006
【図５】
2016063890.tif 000007
【図６】
2016063890.tif 000008